(57)【特許請求の範囲】
【請求項１】
ＩＣカードのメモリに格納されたカード識別子を読み取る非接触通信手段と、
上記非接触通信手段で読み取ったカード識別子に関連付いた特典データの一次元又は二次元的なシンボルを生成する生成手段と、
上記生成手段で生成された特典データのシンボルを表示する表示手段と、
上記特典データを上記カード識別子に関連付けて管理する管理手段と、
店舗で取り扱う商品種別を管理するメモリと、
時刻サーバより時刻データを取得する通信手段とを備え、
上記非接触通信手段で上記ＩＣカードのカード識別子を読み取り、この読み取ったカード識別子と関連付いた特典データを上記管理手段より取得し、
上記管理手段より取得した特典データに含まれる商品種別の識別子が上記メモリに格納された商品種別の識別子と一致するかを照合し、一致した特典データのシンボルを上記表示手段に表示し、
ＰＯＳ端末のシンボルの読取手段で上記表示手段に表示された特典データのシンボルを読み取ると、上記ＰＯＳ端末での精算の後、上記管理手段で使用された特典データの失効処理をし、
上記表示手段に上記特典データのシンボルを表示するときには、上記時間サーバから取得した時刻情報で特定される上記表示手段での特典データの表示開始時間又は終了時間を起算点とする有効期限情報を、上記メモリに格納されている上記表示装置と上記ＰＯＳ端末で共有される秘密共通鍵で暗号化し、暗号化された有効期限情報を付加したシンボルを上記表示手段に表示し、
上記読取手段で上記表示手段に表示された特典データのシンボルを読み取るときには、上記ＰＯＳ端末の秘密共通鍵で上記有効期限情報を復号し、読み取ったシンボルが正規であることを認証した後、上記商品の精算処理を可能とする表示装置。
【請求項２】
ＩＣカードのメモリに格納されたカード識別子を読み取る非接触通信手段と、上記非接触通信手段で読み取ったカード識別子に関連付いた特典データの一次元又は二次元的なシンボルを生成する生成手段と、上記生成手段で生成された特典データのシンボルを表示する表示手段と、上記特典データを上記カード識別子に関連付けて管理する管理手段と、店舗で取り扱う商品種別を管理するメモリと、時刻サーバより時刻データを取得する通信手段とを備える表示装置のデータ処理方法において、
上記非接触通信手段で上記ＩＣカードのカード識別子を読み取り、この読み取ったカード識別子と関連付いた特典データを上記管理手段より取得し、
上記管理手段より取得した特典データに含まれる商品種別の識別子が上記メモリに格納された商品種別の識別子と一致するかを照合し、一致した特典データのシンボルを上記表示手段に表示し、
ＰＯＳ端末のシンボルの読取手段で上記表示手段に表示された特典データのシンボルを読み取ると、上記ＰＯＳ端末での精算の後、上記管理手段で使用された特典データの失効処理をし、
上記表示手段に上記特典データのシンボルを表示するときには、上記時間サーバから取得した時刻情報で特定される上記表示手段での特典データの表示開始時間又は終了時間を起算点とする有効期限情報を、上記メモリに格納されている上記表示装置と上記ＰＯＳ端末で共有される秘密共通鍵で暗号化し、暗号化された有効期限情報を付加したシンボルを上記表示手段に表示し、
上記読取手段で上記表示手段に表示された特典データのシンボルを読み取るときには、上記ＰＯＳ端末の秘密共通鍵で上記有効期限情報を復号し、読み取ったシンボルが正規であることを認証した後、上記商品の精算処理を可能とするデータ処理方法。
【請求項３】
ＩＣカードのメモリに格納されたカード識別子を読み取る非接触通信手段と、
上記非接触通信手段で読み取ったカード識別子に関連付いた特典データの一次元又は二次元的なシンボルを生成する生成手段と、
一次元又は二次元的なシンボルを読み取る読取手段と、
上記生成手段で生成された特典データのシンボルを表示する表示手段と、
上記特典データを上記カード識別子に関連付けて管理する管理手段と、
時刻サーバより時刻データを取得する通信手段とを備え、
上記非接触通信手段で上記ＩＣカードのカード識別子を読み取り、この読み取ったカード識別子と関連付いた特典データを上記管理手段より取得し、
上記読取手段で、これから精算しようとする商品のシンボルを読み取り、商品種別の識別子を取得し、上記管理手段より取得した特典データに含まれる商品種別の識別子と一致する商品の特典データのシンボルを上記表示手段に表示し、
ＰＯＳ端末のシンボルの読取手段で上記表示手段に表示された特典データのシンボルを読み取ると、上記ＰＯＳ端末での精算の後、上記管理手段で使用された特典データの失効処理をし、
上記表示手段に上記特典データのシンボルを表示するときには、上記時間サーバから取得した時刻情報で特定される上記表示手段での特典データの表示開始時間又は終了時間を起算点とする有効期限情報を、上記メモリに格納されている上記表示装置と上記ＰＯＳ端末で共有される秘密共通鍵で暗号化し、暗号化された有効期限情報を付加したシンボルを上記表示手段に表示し、
上記読取手段で上記表示手段に表示された特典データのシンボルを読み取るときには、上記ＰＯＳ端末の秘密共通鍵で上記有効期限情報を復号し、読み取ったシンボルが正規であることを認証した後、上記商品の精算処理を可能とする表示装置。
【請求項４】
ＩＣカードのメモリに格納されたカード識別子を読み取る非接触通信手段と、上記非接触通信手段で読み取ったカード識別子に関連付いた特典データの一次元又は二次元的なシンボルを生成する生成手段と、一次元又は二次元的なシンボルを読み取る読取手段と、上記生成手段で生成された特典データのシンボルを表示する表示手段と、上記特典データを上記カード識別子に関連付けて管理する管理手段と、時刻サーバより時刻データを取得する通信手段とを備える表示装置のデータ処理方法において、
上記非接触通信手段で上記ＩＣカードのカード識別子を読み取り、この読み取ったカード識別子と関連付いた特典データを上記管理手段より取得し、
上記読取手段で、これから精算しようとする商品のシンボルを読み取り、商品種別の識別子を取得し、上記管理手段より取得した特典データに含まれる商品種別の識別子と一致する商品の特典データのシンボルを上記表示手段に表示し、
ＰＯＳ端末のシンボルの読取手段で上記表示手段に表示された特典データのシンボルを読み取ると、上記ＰＯＳ端末での精算の後、上記管理手段で使用された特典データの失効処理をし、
上記表示手段に上記特典データのシンボルを表示するときには、上記時間サーバから取得した時刻情報で特定される上記表示手段での特典データの表示開始時間又は終了時間を起算点とする有効期限情報を、上記メモリに格納されている上記表示装置と上記ＰＯＳ端末で共有される秘密共通鍵で暗号化し、暗号化された有効期限情報を付加したシンボルを上記表示手段に表示し、
上記読取手段で上記表示手段に表示された特典データのシンボルを読み取るときには、上記ＰＯＳ端末の秘密共通鍵で上記有効期限情報を復号し、読み取ったシンボルが正規であることを認証した後、上記商品の精算処理を可能とするデータ処理方法。
【請求項５】
ＰＯＳ端末とこのＰＯＳ端末の近傍に配設される表示装置とを備え、
上記ＰＯＳ端末は、商品の一次元又は二次元的なシンボルを読み取る読取手段が接続されており、
上記ＰＯＳ端末の読取手段は、上記表示装置とリッピング手段を介して接続され、
上記表示装置は、ＩＣカードのメモリに格納されたカード識別子を読み取る非接触通信手段と、
上記非接触通信手段で読み取ったカード識別子に関連付いた特典データの一次元又は二次元的なシンボルを生成する生成手段と、
上記生成手段で生成された特典データのシンボルを表示する表示手段と、
上記特典データを上記カード識別子に関連付けて管理する管理手段と、
時刻サーバより時刻データを取得する通信手段とを有し、
上記表示装置は、上記非接触通信手段で上記ＩＣカードのカード識別子を読み取り、この読み取ったカード識別子と関連付いた特典データを上記管理手段より取得し、
上記読取手段で、これから精算しようとする商品のシンボルを読み取り、商品種別の識別子を取得し、上記管理手段より取得した特典データに含まれる商品種別の識別子と一致する商品の特典データのシンボルを上記表示手段に表示し、
上記読取手段で上記表示手段に表示された特典データのシンボルを読み取ると、上記ＰＯＳ端末での精算の後、上記管理手段で使用された特典データの失効処理をし、
上記表示手段に上記特典データのシンボルを表示するときには、上記時間サーバから取得した時刻情報で特定される上記表示手段での特典データの表示開始時間又は終了時間を起算点とする有効期限情報を、上記メモリに格納されている上記表示装置と上記ＰＯＳ端末で共有される秘密共通鍵で暗号化し、暗号化された有効期限情報を付加したシンボルを上記表示手段に表示し、
上記読取手段で上記表示手段に表示された特典データのシンボルを読み取るときには、上記ＰＯＳ端末の秘密共通鍵で上記有効期限情報を復号し、読み取ったシンボルが正規であることを認証した後、上記商品の精算処理を可能とするデータ処理システム。
【請求項６】
ＰＯＳ端末とこのＰＯＳ端末の近傍に配設される表示装置とを備え、上記ＰＯＳ端末は、商品の一次元又は二次元的なシンボルを読み取る読取手段が接続されており、上記ＰＯＳ端末の読取手段は、上記表示装置とリッピング手段を介して接続され、上記表示装置は、ＩＣカードのメモリに格納されたカード識別子を読み取る非接触通信手段と、上記非接触通信手段で読み取ったカード識別子に関連付いた特典データの一次元又は二次元的なシンボルを生成する生成手段と、上記生成手段で生成された特典データのシンボルを表示する表示手段と、上記特典データを上記カード識別子に関連付けて管理する管理手段と、時刻サーバより時刻データを取得する通信手段とを有するデータ処理システムのデータ処理方法において、
上記表示装置は、上記非接触通信手段で上記ＩＣカードのカード識別子を読み取り、この読み取ったカード識別子と関連付いた特典データを上記管理手段より取得し、
上記読取手段で、これから精算しようとする商品のシンボルを読み取り、商品種別の識別子を取得し、上記管理手段より取得した特典データに含まれる商品種別の識別子と一致する商品の特典データのシンボルを上記表示手段に表示し、
上記読取手段で上記表示手段に表示された特典データのシンボルを読み取ると、上記ＰＯＳ端末での精算の後、上記管理手段で使用された特典データの失効処理をし、
上記表示手段に上記特典データのシンボルを表示するときには、上記時間サーバから取得した時刻情報で特定される上記表示手段での特典データの表示開始時間又は終了時間を起算点とする有効期限情報を、上記メモリに格納されている上記表示装置と上記ＰＯＳ端末で共有される秘密共通鍵で暗号化し、暗号化された有効期限情報を付加したシンボルを上記表示手段に表示し、
上記読取手段で上記表示手段に表示された特典データのシンボルを読み取るときには、上記ＰＯＳ端末の秘密共通鍵で上記有効期限情報を復号し、読み取ったシンボルが正規であることを認証した後、上記商品の精算処理を可能とするデータ処理方法。
【発明の詳細な説明】
【技術分野】
【０００１】
本発明は、ＩＣカードを利用して特典データを取得することができる表示装置及びこの表示装置を用いたデータ処理方法並びにデータ処理システムに関する。
【背景技術】
【０００２】
従来、ＩＣカードに蓄積した電子クーポンを使い、支払い時に割引を受けるためには、次のような方法がある。第１に、電子クーポンの内容を表示できる端末を用意し、その内容をレジ係が見て確認し、割引を実施する。第２に、電子クーポンの割引内容をバーコードで印刷した紙を出力する装置を用意し、その紙をＰＯＳのバーコードリーダでレジ係が読み取り、割引を実施する。第３に、電子クーポンを読み取る装置とＰＯＳ端末を接続し、連動させて割引を実施する。
【０００３】
しかしながら、第１の方法は、人為的な確認が必要なため、不正に割引を発生される可能性がある。第２の方法は、紙をコピーすることで不正が可能である。第３の方法は、ＰＯＳシステムに大きな変更が必要となる。本件出願に関連する特許文献としては下記のものがある。
【０００４】
【特許文献１】特開２００６−２３８６４号公報
【発明の開示】
【発明が解決しようとする課題】
【０００５】
本発明は、以上のような問題点に鑑みてなされたものであり、その目的は、電子クーポンといった特典データをＰＯＳシステムに適用するに当たって、ＰＯＳシステムの変更を最小限にすることができる表示装置及びこの表示装置を用いたデータ処理方法並びにデータ処理システムを提供することにある。
【０００６】
また、本発明の目的は、特典データの不正利用を防止することができる表示装置及びこの表示装置を用いたデータ処理方法並びにデータ処理システムを提供することにある。
【課題を解決するための手段】
【０００７】
本発明に係る表示装置は、ＩＣカードのメモリに格納されたカード識別子を読み取る非接触通信手段と、上記非接触通信手段で読み取ったカード識別子に関連付いた特典データの一次元又は二次元的なシンボルを生成する生成手段と、上記生成手段で生成された特典データのシンボルを表示する表示手段と、上記特典データを上記カード識別子に関連付けて管理する管理手段と、店舗で取り扱う商品種別を管理するメモリと、時刻サーバより時刻データを取得する通信手段とを備え、上記非接触通信手段で上記ＩＣカードのカード識別子を読み取り、この読み取ったカード識別子と関連付いた特典データを上記管理手段より取得し、上記管理手段より取得した特典データに含まれる商品種別の識別子が上記メモリに格納された商品種別の識別子と一致するかを照合し、一致した特典データのシンボルを上記表示手段に表示し、ＰＯＳ端末のシンボルの読取手段で上記表示手段に表示された特典データのシンボルを読み取ると、上記ＰＯＳ端末での精算の後、上記管理手段で使用された特典データの失効処理をし、上記表示手段に上記特典データのシンボルを表示するときには、上記時間サーバから取得した時刻情報で特定される上記表示手段での特典データの表示開始時間又は終了時間を起算点とする有効期限情報を、上記メモリに格納されている上記表示装置と上記ＰＯＳ端末で共有される秘密共通鍵で暗号化し、暗号化された有効期限情報を付加したシンボルを上記表示手段に表示し、上記読取手段で上記表示手段に表示された特典データのシンボルを読み取るときには、上記ＰＯＳ端末の秘密共通鍵で上記有効期限情報を復号し、読み取ったシンボルが正規であることを認証した後、上記商品の精算処理を可能とする。
【０００８】
本発明に係るデータ処理方法は、ＩＣカードのメモリに格納されたカード識別子を読み取る非接触通信手段と、上記非接触通信手段で読み取ったカード識別子に関連付いた特典データの一次元又は二次元的なシンボルを生成する生成手段と、上記生成手段で生成された特典データのシンボルを表示する表示手段と、上記特典データを上記カード識別子に関連付けて管理する管理手段と、店舗で取り扱う商品種別を管理するメモリと、時刻サーバより時刻データを取得する通信手段とを備える表示装置のデータ処理方法において、上記非接触通信手段で上記ＩＣカードのカード識別子を読み取り、この読み取ったカード識別子と関連付いた特典データを上記管理手段より取得し、上記管理手段より取得した特典データに含まれる商品種別の識別子が上記メモリに格納された商品種別の識別子と一致するかを照合し、一致した特典データのシンボルを上記表示手段に表示し、ＰＯＳ端末のシンボルの読取手段で上記表示手段に表示された特典データのシンボルを読み取ると、上記ＰＯＳ端末での精算の後、上記管理手段で使用された特典データの失効処理をし、上記表示手段に上記特典データのシンボルを表示するときには、上記時間サーバから取得した時刻情報で特定される上記表示手段での特典データの表示開始時間又は終了時間を起算点とする有効期限情報を、上記メモリに格納されている上記表示装置と上記ＰＯＳ端末で共有される秘密共通鍵で暗号化し、暗号化された有効期限情報を付加したシンボルを上記表示手段に表示し、上記読取手段で上記表示手段に表示された特典データのシンボルを読み取るときには、上記ＰＯＳ端末の秘密共通鍵で上記有効期限情報を復号し、読み取ったシンボルが正規であることを認証した後、上記商品の精算処理を可能とする。
本発明に係る表示装置は、ＩＣカードのメモリに格納されたカード識別子を読み取る非接触通信手段と、上記非接触通信手段で読み取ったカード識別子に関連付いた特典データの一次元又は二次元的なシンボルを生成する生成手段と、一次元又は二次元的なシンボルを読み取る読取手段と、上記生成手段で生成された特典データのシンボルを表示する表示手段と、上記特典データを上記カード識別子に関連付けて管理する管理手段と、時刻サーバより時刻データを取得する通信手段とを備え、上記非接触通信手段で上記ＩＣカードのカード識別子を読み取り、この読み取ったカード識別子と関連付いた特典データを上記管理手段より取得し、上記読取手段で、これから精算しようとする商品のシンボルを読み取り、商品種別の識別子を取得し、上記管理手段より取得した特典データに含まれる商品種別の識別子と一致する商品の特典データのシンボルを上記表示手段に表示し、ＰＯＳ端末のシンボルの読取手段で上記表示手段に表示された特典データのシンボルを読み取ると、上記ＰＯＳ端末での精算の後、上記管理手段で使用された特典データの失効処理をし、上記表示手段に上記特典データのシンボルを表示するときには、上記時間サーバから取得した時刻情報で特定される上記表示手段での特典データの表示開始時間又は終了時間を起算点とする有効期限情報を、上記メモリに格納されている上記表示装置と上記ＰＯＳ端末で共有される秘密共通鍵で暗号化し、暗号化された有効期限情報を付加したシンボルを上記表示手段に表示し、上記読取手段で上記表示手段に表示された特典データのシンボルを読み取るときには、上記ＰＯＳ端末の秘密共通鍵で上記有効期限情報を復号し、読み取ったシンボルが正規であることを認証した後、上記商品の精算処理を可能とする。
本発明に係るデータ処理方法は、ＩＣカードのメモリに格納されたカード識別子を読み取る非接触通信手段と、上記非接触通信手段で読み取ったカード識別子に関連付いた特典データの一次元又は二次元的なシンボルを生成する生成手段と、一次元又は二次元的なシンボルを読み取る読取手段と、上記生成手段で生成された特典データのシンボルを表示する表示手段と、上記特典データを上記カード識別子に関連付けて管理する管理手段と、時刻サーバより時刻データを取得する通信手段とを備える表示装置のデータ処理方法において、上記非接触通信手段で上記ＩＣカードのカード識別子を読み取り、この読み取ったカード識別子と関連付いた特典データを上記管理手段より取得し、上記読取手段で、これから精算しようとする商品のシンボルを読み取り、商品種別の識別子を取得し、上記管理手段より取得した特典データに含まれる商品種別の識別子と一致する商品の特典データのシンボルを上記表示手段に表示し、ＰＯＳ端末のシンボルの読取手段で上記表示手段に表示された特典データのシンボルを読み取ると、上記ＰＯＳ端末での精算の後、上記管理手段で使用された特典データの失効処理をし、上記表示手段に上記特典データのシンボルを表示するときには、上記時間サーバから取得した時刻情報で特定される上記表示手段での特典データの表示開始時間又は終了時間を起算点とする有効期限情報を、上記メモリに格納されている上記表示装置と上記ＰＯＳ端末で共有される秘密共通鍵で暗号化し、暗号化された有効期限情報を付加したシンボルを上記表示手段に表示し、上記読取手段で上記表示手段に表示された特典データのシンボルを読み取るときには、上記ＰＯＳ端末の秘密共通鍵で上記有効期限情報を復号し、読み取ったシンボルが正規であることを認証した後、上記商品の精算処理を可能とする。
【０００９】
更に、本発明に係るデータ処理システムは、ＰＯＳ端末とこのＰＯＳ端末の近傍に配設される表示装置とを備え、上記ＰＯＳ端末は、商品の一次元又は二次元的なシンボルを読み取る読取手段が接続されており、上記ＰＯＳ端末の読取手段は、上記表示装置とリッピング手段を介して接続され、上記表示装置は、ＩＣカードのメモリに格納されたカード識別子を読み取る非接触通信手段と、上記非接触通信手段で読み取ったカード識別子に関連付いた特典データの一次元又は二次元的なシンボルを生成する生成手段と、上記生成手段で生成された特典データのシンボルを表示する表示手段と、上記特典データを上記カード識別子に関連付けて管理する管理手段と、時刻サーバより時刻データを取得する通信手段とを有し、上記表示装置は、上記非接触通信手段で上記ＩＣカードのカード識別子を読み取り、この読み取ったカード識別子と関連付いた特典データを上記管理手段より取得し、上記読取手段で、これから精算しようとする商品のシンボルを読み取り、商品種別の識別子を取得し、上記管理手段より取得した特典データに含まれる商品種別の識別子と一致する商品の特典データのシンボルを上記表示手段に表示し、上記読取手段で上記表示手段に表示された特典データのシンボルを読み取ると、上記ＰＯＳ端末での精算の後、上記管理手段で使用された特典データの失効処理をし、上記表示手段に上記特典データのシンボルを表示するときには、上記時間サーバから取得した時刻情報で特定される上記表示手段での特典データの表示開始時間又は終了時間を起算点とする有効期限情報を、上記メモリに格納されている上記表示装置と上記ＰＯＳ端末で共有される秘密共通鍵で暗号化し、暗号化された有効期限情報を付加したシンボルを上記表示手段に表示し、上記読取手段で上記表示手段に表示された特典データのシンボルを読み取るときには、上記ＰＯＳ端末の秘密共通鍵で上記有効期限情報を復号し、読み取ったシンボルが正規であることを認証した後、上記商品の精算処理を可能とする。
【００１０】
本発明に係るデータ処理方法は、ＰＯＳ端末とこのＰＯＳ端末の近傍に配設される表示装置とを備え、上記ＰＯＳ端末は、商品の一次元又は二次元的なシンボルを読み取る読取手段が接続されており、上記ＰＯＳ端末の読取手段は、上記表示装置とリッピング手段を介して接続され、上記表示装置は、ＩＣカードのメモリに格納されたカード識別子を読み取る非接触通信手段と、上記非接触通信手段で読み取ったカード識別子に関連付いた特典データの一次元又は二次元的なシンボルを生成する生成手段と、上記生成手段で生成された特典データのシンボルを表示する表示手段と、上記特典データを上記カード識別子に関連付けて管理する管理手段と、時刻サーバより時刻データを取得する通信手段とを有するデータ処理システムのデータ処理方法において、上記表示装置は、上記非接触通信手段で上記ＩＣカードのカード識別子を読み取り、この読み取ったカード識別子と関連付いた特典データを上記管理手段より取得し、上記読取手段で、これから精算しようとする商品のシンボルを読み取り、商品種別の識別子を取得し、上記管理手段より取得した特典データに含まれる商品種別の識別子と一致する商品の特典データのシンボルを上記表示手段に表示し、上記読取手段で上記表示手段に表示された特典データのシンボルを読み取ると、上記ＰＯＳ端末での精算の後、上記管理手段で使用された特典データの失効処理をし、上記表示手段に上記特典データのシンボルを表示するときには、上記時間サーバから取得した時刻情報で特定される上記表示手段での特典データの表示開始時間又は終了時間を起算点とする有効期限情報を、上記メモリに格納されている上記表示装置と上記ＰＯＳ端末で共有される秘密共通鍵で暗号化し、暗号化された有効期限情報を付加したシンボルを上記表示手段に表示し、上記読取手段で上記表示手段に表示された特典データのシンボルを読み取るときには、上記ＰＯＳ端末の秘密共通鍵で上記有効期限情報を復号し、読み取ったシンボルが正規であることを認証した後、上記商品の精算処理を可能とする。
【発明の効果】
【００１１】
本発明によれば、例えば、本発明の表示装置をＰＯＳ端末の近傍に設置し、ＩＣカードで特定される特典データを一次元又は二次元のシンボルで表示できるようにしたので、既存のＰＯＳ端末を設計変更することが無くなる。したがって、容易に、ＩＣカードを利用したクーポンのサービスを容易に開始できるようになる。また、メモリに格納された商品種別の識別子や商品のシンボルに含まれる商品種別の識別子を用いることで、表示手段には、使用不能な特典データが除外されることになり、表示手段に表示された特典データの中から容易に使用する特典データを選択できる。
また、有効期限を設けることで、表示手段にシンボルを表示してから何時までもそのシンボルが有効であり続けることを防止することができ、例えば、シンボルが表示の際に複製されて不正利用されることを防止することができる。また、有効期限情報を暗号化することで、正規なＰＯＳ端末でのみ表示部に表示された特典データのシンボルを利用できるようになる。
【発明を実施するための最良の形態】
【００１２】
以下、本発明を適用した表示装置１０を図面を参照して説明する。
【００１３】
図１に示すように、本発明が適用された表示装置１０が用いられる販売システム１は、スーパーマーケット等の店舗に設置されたＰＯＳ端末２と、このＰＯＳ端末２の設置場所の近傍に設置される本発明が適用された表示装置１０とを備える。この表示装置１０は、筐体を構成する装置本体１１に、ＩＣカード３と通信を行うための装置側非接触通信部１２が設けられていると共に、表示部１３が設けられている。装置側非接触通信部１２は、ＩＣカード３と通信を行うことによって、ＩＣカードのカード識別子ＩＤを取得して、取得したＩＣカードのカード識別子ＩＤに関連付いたクーポンデータＣＤのバーコードを生成し、表示部１３に一次元シンボルであるバーコードを表示する。装置本体１１には、更に操作部１４が設けられており、表示部１３に表示された複数のバーコードの中から一又は複数のバーコードを選択できるようになっている。
【００１４】
ＰＯＳ端末２は、図１に示すように、バーコードリーダ２ａを備えており、このバーコードリーダ２ａで表示部１３に表示されたバーコード１３ｃを読み取り、更に、ＩＣカード３のカードホルダである客が購入しようとする商品４のバーコード４ａを読み取り、精算を行うことができるようになっている。これにより、ＰＯＳ端末２では、商品４の購入代金にクーポンを反映させて割引後の値段で精算を行うことができる。バーコードリーダ２ａは、光源と、光源から出射されバーコード面で反射された光を検出する検出器とを備えていて、バーコードに記録された信号を検出する。また、バーコードリーダ２ａは、ＣＣＤ（Charge-Coupled Devices）等の撮像素子でバーコードを撮像してバーコードに記録された信号を検出する。
【００１５】
ここで、図２を参照して、本発明が適用された表示装置１０の回路構成について説明する。本発明が適用された表示装置１０は、図１の装置側非接触通信部１２と、装置側非接触通信部１２で取得したＩＣカード３に格納されていたＩＣカード３のカード識別子ＩＤに基づいてクーポンデータＣＤを管理しているクーポン管理サーバ３１や時刻を管理する時刻サーバ３２にアクセスする通信Ｉ／Ｆ２１と、クーポン管理サーバ３１より取得したクーポンデータＣＤに基づいてバーコードを生成するバーコード生成部２２と、バーコードを表示する上述の表示部１３と、ＰＯＳ端末２の操作者である店員又は客によって操作され操作に応じた操作信号を発生する操作部１４と、店舗で取り扱う商品やその店舗の識別子等を管理するメモリ２３と、商品４のバーコード４ａを読み取るバーコードリーダ２４と、全体の動作を制御する制御部２５とを備えている。
【００１６】
装置側非接触通信部１２は、ＩＣカード３との間でＲＦＩＤ（Radio Frequency Identification System）、ＮＦＣ（Near Field Communication）等の短距離又は近距離の非接触無線通信でＩＣカード４０と通信を行う。ここで、ＩＣカード３は、図２に示すように、装置側非接触通信部１２と通信を行うためのカード側非接触通信部３ａと、各種情報を格納するカードメモリ３ｂとを備えている。ＩＣカード３は、カードメモリ３ｂに、ＩＣカード３の固有のカード識別子ＩＤ等の管理データが格納されており、これらの管理データのやり取りをカード側非接触通信部３ａを介して表示装置１０の装置側非接触通信部１２と行うことができるようになっている。具体的に、装置側非接触通信部１２、カード側非接触通信部３ａのそれぞれは、アンテナコイルを有しており、各々のアンテナコイルが誘導結合によって磁気的に結合し、ＩＣカードとリーダライタとの間で非接触データ通信を行う。装置側非接触通信部１２は、ＩＣカード３がかざされると、ＩＣカード３と通信を行うことによって、ＩＣカード３のカードメモリ３ｂに格納されているＩＣカード３のカード識別子ＩＤを取得する。
【００１７】
通信Ｉ／Ｆ２１は、ＷＡＮ（Wide Area Network）、ＬＡＮ（Local Area Network）等のネットワークを介してクーポン管理サーバ３１にアクセスし、クーポン管理サーバ３１に対して装置側非接触通信部１２で取得したＩＣカード３のカード識別子ＩＤを送信し、クーポン管理サーバ３１より、ＩＣカード３のカード識別子ＩＤと関連付けられたクーポンデータＣＤを取得する。なお、この際、クーポンデータＣＤデータとして、カードホルダがクーポンを取得した場所等クーポン管理サーバ３１で管理されているカード識別子ＩＤで特定されるカードホルダの履歴データ等を取得するようにしても良い。すなわち、図３に示すように、特典内容（割引額、割引率等）、利用条件（有効期限・利用日の限定、回数制限、利用できる場所）、発行者の情報（会社名・電話番号・ＵＲＬ・住所・地図情報・営業日・時間）、クーポンの種別（商品・サービスカテゴリー）、クーポン個別識別をするためのクーポン識別子、クーポンの配布日時、クーポンの配布場所を特定できる識別子等である。
【００１８】
また、通信Ｉ／Ｆ２１は、ＮＴＰ（Network Time Protocol）と言ったプロトコルに従って正確な時刻を計時する時刻サーバ３２から時刻データを取得する。
【００１９】
バーコード生成部２２は、通信Ｉ／Ｆ２１で取得したクーポンデータＣＤに基づいてバーコード生成し、表示部１３に出力する。そして、表示部１３では、バーコード及びカードホルダが可読できるバーコードの関連情報を表示する。例えば、表示部１３は、図４（Ａ）に示すように、商品の外観写真１３ａと商品の名称と割引値段１３ｂとバーコード１３ｃとを一の組としたクーポンの一覧表示を行い、カーソル１３ｄで一の欄を選択できるようにする。また、表示部１３は、図４（Ｂ）に示すように、商品の外観写真１３ａと商称と割引値段１３ｂとを一の組としたクーポンの一覧表示を行い、カーソル１３ｄで一の欄を選択できるようにし、選択された欄の商品のバーコード１３ｃを表示する。なお、図３に示した内容のように、バーコードで表示する内容が多岐に亘る場合には、図４（Ｂ）に示すように、複数のバーコードで表示するようにしても良い。この場合、ＰＯＳ端末２は、バーコードリーダ２ａによって、複数のバーコードから割引の情報のみならず、図３の情報を取得することができ、これにより、その店舗は、得た顧客情報をマーケティングに利用することができる。
【００２０】
図１及び図２に示すように、操作部１４は、例えば表示部１３の近傍に配設されるものであって、十字キー、押し釦等で構成されており、例えば、表示部１３に表示されたクーポンの中からユーザの操作に応じてカーソル１３ｄを移動させることによって、表示部１３に表示されたクーポンの中から一又は複数を選択する。なお、操作部１４は、表示部１３と一体的なタッチパネルによって実現されても良い。
【００２１】
メモリ２３は、その店舗の店舗識別子やその店舗で取り扱う商品種別識別子等のその店舗の管理データが格納されている。なお、このメモリ２３は、装置本体１１の内蔵メモリであっても良く、また、店舗内のネットワークを介して接続された例えばＰＯＳ端末２ともＬＡＮ等のネットワークを介して接続された管理サーバであっても良い。
【００２２】
バーコードリーダ２４は、装置本体１１に取り付けられるものであって、光源と、光源から出射されバーコード面で反射された光を検出する検出器とを備えていて、バーコードに記録された信号を検出する。また、ＣＣＤ（Charge-Coupled Devices）等の撮像素子でバーコードを撮像してバーコードに記録された信号を検出する。装置本体１１に取り付けられたここでのバーコードリーダ２４は、商品４のバーコード４ａを読み取ることによって、商品４の種類を特定できるようにする。この点で、ＰＯＳ端末２のバーコードリーダ２ａは、構造的には同じであるが、精算時に商品の値段等を読み取る目的で使用される点で相違している。なお、ＰＯＳ端末２と装置本体１１とを接続することによって、ＰＯＳ端末２のバーコードリーダ２ａで、バーコードリーダ２４の機能を実現するようにしても良い。
【００２３】
制御部２５は、装置本体１１の全体の動作を制御するものであり、ＣＰＵ、ＲＯＭ、ＲＡＭ等を備えている。制御部２５は、例えば操作部１４からの操作信号に応じて表示部１３等の表示を制御する。
【００２４】
次に、図５を参照して、表示装置１０の一つ目の動作を説明する。
【００２５】
ステップＳ１において、商品を購入しようとする客であるカードホルダによって、自らが所持するＩＣカード３が装置本体１１の装置側非接触通信部１２にかざされると、制御部２５は、装置側非接触通信部１２を介して、ＩＣカード３のカードメモリ３ｂに格納されているＩＣカード３のカード識別子ＩＤ等の管理データを読み出し取得する。
【００２６】
ここで、カードホルダによっては、カードケースに種類の異なるＩＣカード３を重ね合わせるようにして複数枚所持していることがある。このように、通信可能な状態にあるＩＣカード３が複数枚あるとき、装置側非接触通信部１２は、全てのＩＣカード３からカード識別子ＩＤ等の管理データを読み出し取得する。
【００２７】
ステップＳ２において、制御部２５は、通信Ｉ／Ｆ２１を介してクーポン管理サーバ３１にアクセスして、取得したＩＣカード３のカード識別子ＩＤ等の管理データを送信し、ＩＣカード３から読み出したＩＣカード３のカード識別子ＩＤに関連付いた図３に示したようなクーポンデータＣＤを取得する。すなわち、クーポン管理サーバ３１では、表示装置１０から送信されたＩＣカード３のカード識別子ＩＤに基づいて、このカード識別子ＩＤに関連付いたクーポンデータＣＤを抽出し、抽出したクーポンデータＣＤを表示装置３２に送信する。なお、クーポン管理サーバ３１では、更に有効期限切れや利用回数制限を超えるクーポンデータＣＤを除外してクーポンデータＣＤを表示装置３２に送信するようにしても良い。
【００２８】
ステップＳ３において、制御部２５は、メモリ２３にアクセスし、メモリ２３に格納された商品種別と、取得したクーポンデータＣＤに含まれる商品種別とを照合して、一致する商品を抽出し、一致した商品のクーポンデータＣＤを、バーコードで表示できるようにする。すなわち、制御部２５は、バーコード生成部２２でクーポンデータＣＤからバーコードを生成し、表示部１３に、図４に示したような、その店舗で使用可能なバーコードを含む商品の一覧表示を行う。かくして、表示部１３での一覧からは、使用不能なクーポンが除外されることになり、操作部１４を用いて一覧表示されたクーポンの中から容易に使用するクーポンを選択できる。
【００２９】
ステップＳ４において、表示部１３に表示され客によって選択された商品のバーコード１３ｃは、ＰＯＳ端末２のバーコードリーダ２ａによって読み取られることになる。そして、店員が操作部１４よりクーポンを使用済みにする操作信号を入力すると、制御部２５は、ステップＳ５において、使用済みのデータを、通信Ｉ／Ｆ２１を介してクーポン管理サーバ３１に送信する。クーポン管理サーバ３１では、使用されたクーポンデータＣＤを使用済みにする等の失効処理を行って、このクーポンデータＣＤが重複利用されないようにする。
【００３０】
次に、図６を参照して、表示装置１０の動作の他の例を説明する。
【００３１】
ステップＳ１１において、商品を購入しようとする客であるカードホルダによって、自らが所持するＩＣカード３が装置本体１１の装置側非接触通信部１２にかざされると、制御部２５は、装置側非接触通信部１２を介して、ＩＣカード３のカードメモリ３ｂに格納されているＩＣカード３のカード識別子ＩＤ等の管理データを読み出し取得する。なお、ここで、通信可能なＩＣカード３が複数あるときは、複数のＩＣカード３からカード識別子ＩＤ等の管理データを読み出し取得するようにしても良い。
【００３２】
ステップＳ１２において、制御部２５は、ステップＳ２と同様に、通信Ｉ／Ｆ２１を介してクーポン管理サーバ３１にアクセスして、ＩＣカード３から読み出したカード識別子ＩＤに関連付いた図３に示したようなクーポンデータＣＤを取得する。なお、クーポン管理サーバ３１では、更に有効期限切れや利用回数制限を超えるクーポンデータＣＤを除外してクーポンデータＣＤを表示装置３２に送信するようにしても良い。
【００３３】
装置本体１１のバーコードリーダ２４でこれから精算しようとする商品４のバーコード４ａを読み取ると、制御部２５は、ステップＳ１３において、当該商品４の商品種別等の識別子を取得する。制御部２５は、クーポン管理サーバ３１から取得したクーポンデータＣＤの中に商品４のバーコード４ａから取得した商品種別が存在するかを判断し、存在するとき、ステップＳ１４において、その商品４のクーポンデータＣＤからクーポンのバーコード１３ｃを生成し表示部１３に表示する。なお、存在しないときは、処理を終了する。かくして、ユーザは、購入しようとする商品のクーポンがあるかどうかを一目で判断することができ、その使用の有無を決断することができる。なお、これから精算しようとする商品４のバーコード４ｂを読み取るステップＳ１３の操作は、ステップＳ１２の前に行っても良い。
【００３４】
ステップＳ１５において、表示部１３に表示された商品４のバーコード１３ｃは、ＰＯＳ端末２のバーコードリーダ２ａによって読み取られることになる。そして、店員が操作部１４よりクーポンを使用済みにする操作信号を入力すると、制御部２５は、ステップＳ１６において、使用済みのデータを、通信Ｉ／Ｆ２１を介してクーポン管理サーバ３１に送信する。クーポン管理サーバ３１では、使用されたクーポンデータＣＤを使用済みにする等の失効処理を行って、このクーポンデータＣＤが重複利用されないようにする。
【００３５】
更に、図７を参照して、表示装置１０の動作の他の例を説明する。
【００３６】
ステップＳ２１において、商品を購入しようとするカードホルダによって、自らが所持するＩＣカード３が装置本体１１の装置側非接触通信部１２にかざされると、制御部２５は、装置側非接触通信部１２を介して、ＩＣカード３のカードメモリ３ｂに格納されているカード識別子ＩＤ等の管理データを読み出し取得する。なお、ここで、通信可能なＩＣカード３が複数あるときは、複数のＩＣカード３からカード識別子ＩＤ等の管理データを読み出し取得するようにしても良い。
【００３７】
ステップＳ２２において、制御部２５は、メモリ２３より店舗の識別子を読み出し、通信Ｉ／Ｆ２１を介してクーポン管理サーバ３１にアクセスして、カード識別子ＩＤと共に店舗の識別子をクーポン管理サーバ３１に送信し、ＩＣカード３から読み出したカード識別子ＩＤと店舗識別子に関連付いていた図３に示したようなクーポンデータＣＤを取得する。すなわち、クーポン管理サーバ３１では、表示装置１０から送信されたカード識別子ＩＤ及び店舗識別子に基づいて、これら識別子に関連付いたクーポンデータＣＤを抽出し、抽出したクーポンデータＣＤを表示装置３２に送信する。なお、クーポン管理サーバ３１では、更に有効期限切れや利用回数制限を超えるクーポンデータＣＤを除外してクーポンデータＣＤを表示装置３２に送信するようにしても良い。
【００３８】
ステップＳ２３において、制御部２５は、受信したクーポンデータＣＤをバーコードで表示できるようにする。すなわち、制御部２５は、バーコード生成部２２でクーポンデータＣＤからバーコードを生成し、表示部１３に、図４に示したような、その店舗で使用可能なバーコード１３ｃを含む商品の一覧表示を行う。かくして、表示部１３での一覧からは、その店舗で使用不能なクーポンが除外されることになり、操作部１４を用いて一覧表示されたクーポンの中から容易に使用するクーポンを選択できる。
【００３９】
なお、表示部１３にバーコードを表示する前に、上述したステップＳ３のようにメモリ２３を参照して、その店舗で更に利用可能な条件に合致するものだけを表示部１３に表示するようにして、客の使い勝手を向上させるようにしても良い。
【００４０】
ステップＳ２４において、表示部１３に表示され客によって選択された商品のバーコード１３ｃは、ＰＯＳ端末２のバーコードリーダ２ａによって読み取られることになる。そして、店員が操作部１４よりクーポンを使用済みにする操作信号を入力すると、制御部２５は、ステップＳ２５において、使用済みのデータを、通信Ｉ／Ｆ２１を介してクーポン管理サーバ３１に送信する。クーポン管理サーバ３１では、使用されたクーポンデータＣＤを使用済みにする等の失効処理を行って、このクーポンデータＣＤが重複利用されないようにする。
【００４１】
以上のような表示装置１０は、ＰＯＳ端末２の近傍に設置され、ＩＣカード３で特定されるクーポンデータＣＤをバーコードで表示できるようにしたので、既存のＰＯＳ端末２を設計変更することが無くなる。したがって、容易に、ＩＣカード３を利用したクーポンのサービスを開始できるようになる。
【００４２】
以上の例では、表示装置１０のバーコードリーダ２４を、商品４のバーコード４ａを読み取ることによって、商品４の種類を特定できるようにするために用い、ＰＯＳ端末２のバーコードリーダ２ａを、精算時に商品の値段等を読み取り、表示装置１０の表示部１３に表示されたバーコード１３ｃを読み取りクーポンを適用して精算を行うために用いる場合を説明したが、次に説明するように、本発明では、表示装置１０のバーコードリーダ２４を省略し、ＰＯＳ端末２のバーコードリーダ２ａにバーコードリーダ２４の機能を付加するようにしても良い。
【００４３】
この場合、図８及び図９に示すように、ＰＯＳ端末２とバーコードリーダ２ａとを接続する接続コード２ｂにリッピングボックス４０を設け、このリッピングボックス４０を介してバーコードリーダ２ａと表示装置１０の制御部２５とを接続コード４１で接続するようにする。
【００４４】
具体的に、図１０に示すように、ＰＯＳ端末２とバーコードリーダ２ａとは、ＰＯＳ端末２よりバーコードリーダ２ａに電力を供給する電源線Ｐと、バーコードリーダ２ａで読み取ったバーコードの情報をＰＯＳ端末２に送信するセンド線Ｓと、ＰＯＳ端末２からバーコードリーダ２ａへバーコード読取開始コマンド等を送信するリターン線Ｒとで接続されている。センド線Ｓは、具体的に、バーコード４ａの情報として、商品コード番号、価格データ等の商品情報をＰＯＳ端末２に送信するものであり、リターン線Ｒは、バーコード読取開始コマンド、ＰＯＳ端末２が商品情報の取得を失敗したときの再要求コマンド等の制御コマンドをバーコードリーダ２ａに送信する。
【００４５】
リッピングボックス４０では、バーコードリーダ２ａで読み取ったバーコードの情報をＰＯＳ端末２に送信するセンド線Ｓを分岐し、分岐線ＢＳを表示装置１０の制御部２５と接続し、また、ＰＯＳ端末２からバーコードリーダ２ａへバーコード読取開始コマンド等を送信するリターン線Ｒを分岐し、分岐線ＢＲを表示装置１０の制御部２５と接続している。これにより、リッピングボックス４０は、バーコードリーダ２ａで読み取ったバーコードの情報を、ＰＯＳ端末２の他、制御部２５にも入力できるようにしている。
【００４６】
このようなシステムは、上記図６に示した処理に適用することができる。すなわち、図６の例では、ステップＳ１３において、装置本体１１のバーコードリーダ２４でこれから精算しようとする商品４のバーコード４ａを読み取るようにしている。この例では、このバーコードリーダ２４に代わって表示装置１０の制御部２５とを接続されたバーコードリーダ２ａで、これから精算しようとする商品４のバーコード４ａを読み取る。これによって、ステップＳ１４において、制御部２５は、商品４のクーポンデータＣＤからクーポンのバーコード１３ｃを生成し表示部１３に表示することができ、更に、ステップＳ１５及びステップＳ１６の処理を行うことができる。
【００４７】
このように、図８乃至図１０に示した例では、リッピングボックス４０を設けることによって、ＰＯＳ端末２そのものの設計変更を行う必要が無くなり、容易に表示装置１０を用いたシステムを導入することができる。
【００４８】
ところで、表示部１３に表示されるクーポンデータＣＤのバーコードが不正に複写され悪用されることを防止するため、クーポンデータＣＤのバーコードを表示部１３に表示する際には、暗号技術を利用するようにしても良い。
【００４９】
ここでは、表示部１３に表示されたクーポンデータＣＤのバーコード１３ｃに対して、クーポンの有効期限とは概念の異なる可視情報としてのバーコードの有効期限情報を設けるようにする。例えば、表示部１３に表示されたバーコード１３ｃの有効期限情報を、表示から１０分、２０分と設定する。ここで、有効期限の起算点は、通信Ｉ／Ｆ２１を介して時間サーバ３２から取得した時刻情報で特定される表示部１３での表示開始時間、終了時間等とする。そして、この有効期限を過ぎたバーコード１３ｃは、無効とする。これにより、表示部１３にバーコード１３ｃを表示してから何時までもそのバーコード１３ｃが有効であり続けることを防止することができ、例えば、バーコード１３ｃが表示の際に複製されて不正利用されることを防止することができる。
【００５０】
例えば、表示部１３に表示されるクーポンデータＣＤのバーコード１３ｃの有効期限情報を、ＰＯＳ端末２と表示装置１０で共有される秘密共通鍵で暗号化して、暗号化データをクーポンデータＣＤからバーコード１３ｃを生成する際に付加する。この場合、表示装置１０は、メモリ２３に、秘密共通鍵を格納しておき、クーポンデータＣＤのバーコード１３ｃを生成する際に、メモリ２３の秘密共通鍵で有効期限情報を暗号化し、この暗号化データを付加したバーコード１３ｃを生成し、表示部１３に表示する。そして、ＰＯＳ端末２では、バーコード１３ｃを読み取った後、自身のメモリに格納してある秘密共通鍵で有効期限情報を復号し、読み取ったバーコード１３ｃが正規であることを認証した後、商品４の精算処理を行う。これにより、正規なＰＯＳ端末２でのみ表示部１３に表示されたクーポンデータＣＤのバーコード１３ｃを利用できるようになる。なお、有効期限情報に加え、又は、有効期限情報に代わって、バーコード１３ｃが示すクーポンデータＣＤそのものを秘密共通鍵で暗号化するようにしても良い。
【００５１】
また、変形例としては、次のようなものがある。この変形例では、ＰＯＳ端末２に秘密鍵を格納し、表示装置１０のメモリ２３に、ＰＯＳ端末２の秘密鍵に対応した公開鍵を格納しておく。そして、表示装置１０では、上記有効期限情報を公開鍵で暗号化してバーコードを表示部１３に表示する。そして、ＰＯＳ端末２では、バーコード１３ｃを読み取った後、自身のメモリに格納してある秘密鍵で有効期限情報を復号し、読み取ったバーコード１３ｃが正規であることを認証した後、商品４の精算処理を行う。この場合、他のＰＯＳ端末２では、秘密鍵を有していないことから、クーポンを利用できないようにすることができる。また、ＰＯＳ端末２では、有効期限情報を復号し、有効期限が経過していることを判別することによって、秘密鍵を有するＰＯＳ端末２で繰り返し同じクーポンが利用されることを防止することができる。
【００５２】
更に、以上の例では、公開鍵を表示装置１０のメモリ２３に格納している例を説明したが、この公開鍵は、クーポン管理サーバ３１が有しているようにしても良い。この場合、クーポン管理サーバ３１は、表示装置１０に対して暗号化されたクーポンデータＣＤを送信する。これにより、ＰＯＳ端末２の近くには、クーポンデータＣＤの復号可能な公開鍵が存在しなくなり、これにより、より安全にクーポンデータＣＤのやり取りを行うことができるようになる。
【００５３】
なお、使用するシンボルは、バーコードと言った一次元シンボルの他に、ＱＲコードといった二次元シンボルであっても良い。また、本発明では、一次元又は二次元であらわされるシンボルの内容は、客に対する特典であれば、割引のクーポンのほか、ノベルティ等であっても良い。また、ＩＣカード３は、携帯型電話機に内蔵され、その機能が実現されるものであっても良い。また、以上の例では、クーポンデータＣＤを取得するに当たって、ＩＣカード３の固有のカード識別子ＩＤを用いた場合を説明したが、この代わりに、ＩＣカード３の発券事業者の識別子を用いても良く、更に、ＩＣカード３の固有のカード識別子ＩＤとＩＣカード３の発券事業者の識別子の両方を用いても良い。
【図面の簡単な説明】
【００５４】
【図１】本発明を適用した表示装置が用いられる販売システムの構成を示す図である。
【図２】本発明が適用された表示装置のブロック図である。
【図３】クーポンデータの詳細を示す図である。
【図４】表示部の表示内容を説明する図である。
【図５】本発明が適用された表示装置の動作を示すフローチャートである。
【図６】上記表示装置の他の例の動作を示すフローチャートである。
【図７】上記表示装置の他の例の動作を示すフローチャートである。
【図８】リッピングボックスを用いた本発明の他の構成例を示す図である。
【図９】リッピングボックスを用いた本発明の他の構成例のブロック図である。
【図１０】リッピングボックスの構成を示す図である。
【符号の説明】
【００５５】
１  販売システム、２  ＰＯＳ端末、２ａ  バーコードリーダ、３  ＩＣカード、３ａ  カード側非接触通信部、３ｂ  カードメモリ、４  商品、４ａ  バーコード、１０  表示装置、１１  装置本体、１２  装置側非接触通信部、１３  表示部、１４  操作部、２１  通信Ｉ／Ｆ、２２  バーコード生成部、２３  メモリ、２４  バーコードリーダ、２５  制御部、３１  クーポン管理サーバ、３２  時刻サーバ、４０  リッピングボックス
【図１】
0004655018.tif 000002
【図２】
0004655018.tif 000003
【図３】
0004655018.tif 000004
【図４】
0004655018.tif 000005
【図５】
0004655018.tif 000006
【図６】
0004655018.tif 000007
【図７】
0004655018.tif 000008
【図８】
0004655018.tif 000009
【図９】
0004655018.tif 000010
【図１０】
0004655018.tif 000011